(57)【要約】    【構成】  暗渠排水部材１０は略直方体のブロック１２を備える。第１貫通孔２２および第２貫通孔２８が水平または略水平にこのブロック１２を貫通し、第２貫通孔２８は第１貫通孔２２の下方に位置する。この暗渠排水部材１０を水平または略水平な底面３２ａの溝３２に敷設する場合、第２貫通孔２８の高さが段階的に低くなるようにブロック１２の接続部４２に段差を設けて各ブロックを連結する。    【効果】  第１貫通孔２２は水平または略水平に敷設されるため、敷設位置によらず第１貫通孔２２の深さが一定であり、暗渠排水部材１０の排水率および給水率が均一になる。第２貫通孔２８の高さが段階的に低くなるようにブロック１２を連結して溝３２の底面３２ａに敷設するため、溝３２の底面３２ａに勾配を付ける必要がなく、施工性に優れる。【選択図】  図４
2005048538.tif 000002
【特許請求の範囲】
【請求項１】
疎水材を成型してなるブロック、
前記ブロックの側面間を貫通する第１貫通孔、および
前記第１貫通孔の下方で、前記ブロックの側面間を貫通する第２貫通孔を備える、暗渠排水部材。
【請求項２】
前記第１貫通孔と前記第２貫通孔とを連結する補助孔をさらに備える、請求項１記載の暗渠排水部材。
【請求項３】
開削した溝に排水部材を埋設したほ場であって、
前記排水部材は、疎水材を成型してなるブロック、および前記ブロックの底面に対して平行に前記ブロックの側面間を貫通する貫通孔を含み、
溝を水平または略水平に開削し、前記溝中に複数の排水部材を連結して埋設し、前記複数の排水部材の前記貫通孔の前記底面からの高さを前記連結方向において順次変えた、ほ場。
【請求項４】
開削した溝に排水部材を埋設したほ場であって、
前記排水部材は、疎水材を成型してなるブロック、および前記ブロックの底面に対して傾斜するように前記ブロックの側面間を貫通する貫通孔を含み、
溝を水平または略水平に開削し、前記溝中に複数の排水部材を連結して埋設し、前記複数の排水部材の前記貫通孔を前記連結方向において連続的に傾斜するようにした、ほ場。
【請求項５】
前記複数の排水部材はそれぞれ前記貫通孔の上方において、前記ブロックの底面から同じ高さで前記ブロックの側面間を貫通する別の貫通孔を含む、請求項３または４記載のほ場。
【請求項６】
前記複数の排水部材の上に、複数の給集水部材を連結して配置し、前記給集水部材は疎水材を成型してなるブロック、および前記ブロックの底面に対して平行に前記ブロックの側面間を貫通する別の貫通孔を含む、請求項３または４記載のほ場。
【発明の詳細な説明】
【技術分野】
【０００１】
この発明は、暗渠排水部材に関し、特にたとえば、ほ場（水田や畑地）などの地下に埋設され、ほ場などの水位調節や排水、または地下灌漑方式の給水に利用され得る、新規な暗渠排水部材に関する。
【背景技術】
【０００２】
従来の暗渠排水部材の一例が、特許文献１に開示されている。この特許文献１の透水ブロックでは、プラスチック片で成形したブロック内に通水路が形成されている。このブロックを地中に埋設すると、地中の水がブロックの内部にしみ出してきて、通水路を通り排水される。
【特許文献１】実開平７−１６０２２号公報［Ｅ０２Ｂ  １１／００］
【発明の開示】
【発明が解決しようとする課題】
【０００３】
特許文献１の従来技術では、通水路内の水を外部に流すため、透水ブロックを傾斜させて敷設する必要がある。しかし、このようなブロックを敷設するための溝の幅は約１５ｃｍ、深さは６５〜９０ｃｍと狭くて深い。また、この溝の底面に少しでも不陸があると、透水ブロックの敷設勾配が変化してしまい、その部分で暗渠排水の流下能力が低下するため、泥土が沈殿堆積して管を閉塞してしまう恐れがある。このため、溝の底面に整った傾斜を付ける作業には熟練した技術が必要である。
【０００４】
このように透水ブロックに勾配を付けて敷設すると、通水路が傾斜して、敷設位置により通水路の深さが変化するため、排水率が異なる。そのため、透水ブロックが深く埋設される位置では浅い位置に比べて水はけが悪く、排水不良が生じてしまうという問題もある。
【０００５】
また、給水管を用いて畑地としてほ場を地下灌漑する場合、作物の種類に応じて地下水位を適正に保持しなければならない。しかし、給水管を傾斜させると、敷設位置により通水路の深さが変化するため、給水率が異なり、ほ場全体の地下水位を均一にすることができない。
【０００６】
それゆえに、この発明の主たる目的は、新規な暗渠排水部材を提供することである。
この発明の他の目的は、ほ場の排水および給水を均一に行え、かつ施工性に優れる、暗渠排水部材を提供することである。
【課題を解決するための手段】
【０００７】
請求項１の発明は、疎水材を成型してなるブロック、ブロックの側面間を貫通する第１貫通孔、および第１貫通孔の下方で、ブロックの側面間を貫通する第２貫通孔を備える暗渠排水部材である。
【０００８】
請求項１の発明では、暗渠排水部材をほ場に敷設する場合、ほ場の長手方向に水平または略水平な底面の溝を開削する。予め複数の暗渠排水部材を連結した長さが溝の長さに相当する数の暗渠排水部材を用意しておく。これらの暗渠排水部材を溝内に敷設し、第１貫通孔が連続するように、それぞれの暗渠排水部材を連結する。
【０００９】
この暗渠排水部材を用いてほ場の地下水を排出する場合、地下水がブロック内の疎水材の間に滲みこんで第１貫通孔に集められ、さらに第１貫通孔の下方に位置する疎水材の間を通り、第２貫通孔に流れて排水路などの外部に排出される。一方、ほ場に地下灌漑する場合、たとえば貯水池から引いた用水は第１貫通孔を通り、用水が第１貫通孔からブロック内の疎水材の間に滲み出してほ場に給水される。
【００１０】
このように、ブロックに予め第１貫通孔および第２貫通孔を設けておくため、ブロックを溝内に敷設すれば、第１貫通孔、第２貫通孔および疎水材をそれぞれ敷設する必要がなく、施工性に優れる。また、第１貫通孔および第２貫通孔を利用して、ほ場において排水のみならず給水も行うことができる。
【００１１】
請求項２の発明は、請求項１の発明において、第１貫通孔と第２貫通孔とを連結する補助孔をさらに備える、暗渠排水部材である。
【００１２】
請求項２の発明では、第１貫通孔に集められた地下水が補助孔を通り、第２貫通孔に流れて、外部に排出される。この補助孔が設けられていない場合、第１貫通孔に集められた地下水はブロックの疎水材の間を通り、第２貫通孔に流れる。この際、地下水に混じっている土や砂などにより疎水材の間が詰まってしまう恐れがある。しかし、補助孔を設けると、疎水材の間が詰まっても、地下水は補助孔を通ることができるため、長期にわたり安定して排水機能を維持することができる。
【００１３】
請求項３の発明は、開削した溝に排水部材を埋設したほ場であって、排水部材は、疎水材を成型してなるブロック、およびブロックの底面に対して平行にブロックの側面間を貫通する貫通孔を含み、溝を水平または略水平に開削し、溝中に複数の排水部材を連結して埋設し、複数の排水部材の貫通孔の底面からの高さを連結方向において順次変えたほ場である。
【００１４】
請求項３の発明では、排水部材はブロックを含み、ブロック内に貫通孔が設けられる。
これらの排水部材をほ場に敷設する場合、まずほ場に底面が水平または略水平な底面の溝を開削し、その溝内に複数の排水部材を連結して敷設する。その際、各排水部材の貫通孔はブロックの底面に対して平行であり、ブロックの底面から貫通孔までの高さを連結方向において順次変えたため、各排水部材の接続部で貫通孔の高さに段差ができ、溝の長手方向に対して貫通孔の高さは段階的に低くなる。
【００１５】
このような排水部材を用いてほ場を排水する場合、ほ場の水は階段状に高さが変化する貫通孔を通りその高さの高い方から低い方へ排出されるので、貫通孔を傾かせるために、溝の底面に勾配を付ける必要がない。
【００１６】
請求項４の発明は、開削した溝に排水部材を埋設したほ場であって、排水部材は、疎水材を成型してなるブロック、およびブロックの底面に対して傾斜するようにブロックの側面間を貫通する貫通孔を含み、溝を水平または略水平に開削し、溝中に複数の排水部材を連結して埋設し、複数の排水部材の貫通孔を連結方向において連続的に傾斜するようにしたほ場である。
【００１７】
請求項４の発明では、排水部材はブロックを含み、ブロック内にブロックの底面に対して傾斜する貫通孔を設ける。
【００１８】
ほ場にこれらの排水部材を敷設する場合、まず底面が水平または略水平な溝をほ場に開削し、その溝内に複数の排水部材を連結して敷設する。その際、溝の長手方向に対して複数の排水部材の貫通孔が連続的に傾斜する。
このような排水部材をほ場で用いた場合、請求項３の発明の場合と同様に、貫通孔が傾斜しているので、貫通孔を傾かせるために、溝の底面に勾配を付ける必要がない。
【００１９】
請求項５の発明は、請求項３または４記載の発明において、複数の排水部材は、それぞれ貫通孔の上方において、ブロックの底面から同じ高さでブロックの側面間を貫通する別の貫通孔を含むほ場である。
【００２０】
請求項５の発明では、たとえば、排水部材はブロック内に２本の貫通孔を含み、下側貫通孔は上側貫通孔の下方に設けられる。
【００２１】
複数の排水部材をたとえば、ほ場に開削した水平または略水平な底面の溝内に連結して敷設する。上側貫通孔の高さはそれぞれの排水部材でブロックの底面から等しいため、溝の長手方向に対して上側貫通孔は連続して水平または略水平に溝を貫く。下側貫通孔の高さはそれぞれの排水部材でブロックの底面から異なるため、溝の長手方向に対して下側貫通孔の高さは段階的または連続的に低くなる。
【００２２】
このような排水部材を用いてほ場を排水する場合、水平または略水平な上側貫通孔にほ場内の水は集められ、次に下方の疎水材の中を通って下側貫通孔に移動し、その傾斜する下側貫通孔の中を流れて外部へ排出される。よって、排水部材の敷設位置によらず上側貫通孔の深さは一定であるため、その集水率が均一、つまり排水部材の排水率が均一になる。一方、ほ場を地下灌漑する場合、貯水池などから引いた用水は水平または略水平な上側貫通孔を通り、ほ場に給水される。よって、排水部材の敷設位置によらず上側貫通孔の深さは一定であるため、その給水率が均一、つまり排水部材の給水率が均一になる。
【００２３】
また、下側貫通孔は段階的または連続的に低くなるので、貫通孔を傾かせるために、溝の底面に勾配を付ける必要がない。
【００２４】
請求項６の発明は、請求項３または４記載の発明において、複数の排水部材の上に、複数の給集水部材を連結して配置し、給集水部材は疎水材を成型してなるブロック、およびブロックの底面に対して平行にブロックの側面間を貫通する別の貫通孔を含むほ場である。
【００２５】
請求項６の発明では、給集水部材は給水機能および給水機能を有する部材であり、疎水材を成型してなるブロックを含み、ブロック内にブロックの底面に対して平行な貫通孔が設けられている。
【００２６】
この給集水部材および排水部材をほ場に敷設する場合、まず底面が水平または略水平な溝を開削し、その溝内に複数の排水部材を連結して敷設する。その際、排水部材の上に給集水部材を重ねて連結する。給集水部材はそれぞれ貫通孔がブロックの底面から同じ高さで形成されるため、貫通孔は連続して、溝の長手方向に水平または略水平に貫く。排水部材はそれぞれ貫通孔が異なる高さで形成されるため、溝の長手方向に対して貫通孔は段階的または連続的に高さが低くなるように貫く。
【００２７】
このような排水部材および給集水部材を用いてほ場を排水する場合、請求項５の発明の場合と同様に、水平または略水平な給集水部材の貫通孔にほ場内の水は集められ、疎水材の中を通って排水部材の貫通孔に移動し、傾斜する排水部材の貫通孔の中を流れて外部へ排出される。よって、給集水部材の貫通孔の深さは一定であるため、その集水率が均一、つまり排水部材の排水率が均一になる。一方、ほ場を地下灌漑する場合、用水は給集水部材の貫通孔を通りほ場に給水される。よって、給集水部材の貫通孔の深さは一定であるため、給水率が均一になる。
【００２８】
また、下側貫通孔は段階的または連続的に低くなるので、貫通孔を傾かせるために、溝の底面に勾配を付ける必要がない。
【発明の効果】
【００２９】
この発明によれば、暗渠排水部材の第１貫通孔は水平または略水平であるため、ほ場の排水および給水を均一に行える。
【００３０】
いずれの場合にも溝の底面に勾配を付ける必要がなく、施工性に優れる。
【００３１】
この発明の上述の目的，その他の目的，特徴および利点は、図面を参照して行う以下の実施例の詳細な説明から一層明らかとなろう。
【発明を実施するための最良の形態】
【００３２】
図１に示すこの発明の一実施例である暗渠排水部材１０はブロック１２を含む。
ブロック１２は透水性の発泡ポリスチレンおよび発泡ポリプロピレンなどのプラスチック系材料または石骨材などの無機質系材料などの疎水材を成型することによって形成される。その形状は略直方体であり、たとえば、横幅Ｗが４０００ｍｍ、高さＨが７００ｍｍ、奥行きＤが１５０ｍｍである。高さと奥行きとからなる２つの側面１４および１６の一方側面１４に高さＨ方向に連続する凸状の突起部１８が形成される。突起部１８は断面が台形の角柱であり、辺の長さの短い上底が疎水ブロック１２の側面１４に連結し、辺の長さの長い下底が外部に面する。他方側面１６には高さＨ方向に連続する凹状の切欠２０が形成される。切欠２０は断面が台形の角柱状であり、上底が側面１６側にくる。つまり、突起部１８と切欠２０とは同一形状であり、突起部１８を隣接する暗渠排水部材の１０の切欠２０に嵌め込むことにより、暗渠排水部材１０同士を連結することができる。
ブロック１２内に図２（Ａ）に示す第１貫通孔２２がブロック１２の底面２４に対して平行に設けられ、突起部１８が形成された側面１４と切欠２０が形成された側面１６との間を貫く。第１貫通孔２２の直径Φはたとえば６０ｍｍであり、その中心はブロック１２の上面２６から１００ｍｍの位置にある。
【００３３】
ブロック１２内には第１貫通孔２２とは別に、もう一本の第２貫通孔２８が設けられる。第２貫通孔２８は第１貫通孔２２の下方に位置し、第１貫通孔２２と同様に第１貫通孔２２およびブロック１２の底面２４に対して平行に突起部１８が形成された側面１４と切欠２０が形成された側面１６との間を貫く。つまり図２（Ｂ）および図２（Ｃ）に示すように、突起部１８が形成された側面１４および切欠２０が形成された側面１６にはそれぞれ２つの管２２および２８の孔が形成される。上側が第１貫通孔２２であり、下方が第２貫通孔２８である。第２貫通孔２８の直径Φはたとえば６０ｍｍであり、その底面２４からの高さは図４（Ａ）に示すように暗渠排水部材１０を連結する位置により異なる。ただし、隣接する暗渠排水部材１０の第２貫通孔２８との高さの差は第２貫通孔２８の直径より小さい。
【００３４】
暗渠排水部材１０の製造において、たとえばブロック１０に発泡ポリスチレンを用いる場合、ブタンなどの炭化水素系の発泡剤をとじこめた直径１ｍｍ程度のポリスチレンのビーズを金型に入れてスチームで加熱して膨らませて成型する。なお、この成型方法に代えて、原料樹脂を金型に入れた後、金型内にガスを直接注入する方法、射出発泡成形および押出発泡成形を用いてもよい。
【００３５】
このような暗渠排水部材１０を図３に示すほ場３０に敷設する場合、まずほ場３０に底面３２ａ（図４）が水平または略水平になるように溝３２を開削する。たとえば溝３２の幅は１５ｃｍ、深さは６５〜９０ｃｍである。ほ場３０の長辺が１００ｍ、短辺が３０ｍであり、長手方向に１０ｍ間隔でこの実施例では３本の溝３２を開削する。
【００３６】
この溝３２内に暗渠排水部材１０を敷設するが、その前に予め図４（Ａ）に示すような、ブロック１２の底面２４から第２貫通孔２８までの高さｈ１、ｈ２・・・ｈｎが異なる数種類（この実施例では４種類）の暗渠排水部材１０を用意しておく。そして、第２貫通孔２８の高さｈｎが同じ排水部材１０を複数個ずつ連結することによって、ほ場３０の長辺方向で、暗渠排水部材１０の第２貫通孔２８の高さｈｎが段階的に低くなるように、これらの暗渠排水部材１０を順番に溝３２内に敷設する。敷設する際、図５に示すように、ブロック１２の突起部１８を隣接するブロック１２の切欠２０に嵌め込んでブロック１２同士を接続する。図４（Ａ）および図４（Ｂ）に示すように、暗渠排水部材１０を連結して溝３２全体に敷設すると、最後に暗渠排水部材１０の上に土３４を埋め戻す。
【００３７】
なお、暗渠排水部材１０に形成された第２貫通孔２８の高さが低い側の先に図３に示す集水管３６を連結する。集水管３６は第２貫通孔２８を流れる水を外部に排出するための無孔管であり、さらにその先に水閘３８を介して河川などに水を放出するための排水路４０を接続する。一方、第１貫通孔２２の先には第１貫通孔２２に用水を流すための給水管（図示せず）を連結する。給水管も無孔管であり、さらにその先に水閘を介して貯水池などから水を引き込むための用水路（図示せず）を接続する。
【００３８】
暗渠排水部材１０を用いてほ場３０から排水する場合、給水用の水閘を閉じて、排水用の水閘３８を開く。すると、ほ場３０の土３４の中から疎水材の中へ滲みだした水が第１貫通孔２２に集められ、第１貫通孔２２の下方の疎水材の中を通って第２貫通孔２８第２貫通孔２８へ移動する。そして、水は第２貫通孔２８の中を流れて集水管３６および排水路４０を通り外部に排出される。
【００３９】
一方、暗渠排水部材１０を用いてほ場３０へ給水する場合、給水用の水閘を開いて、排水用の水閘３８を閉じる。すると、貯水池などから用水が用水路および給水管へ引き入れられ、第１貫通孔２２の中を流れて、第１貫通孔２２から疎水材の中へ滲みだして、ほ場３０に給水される。
【００４０】
このように、暗渠排水部材１０に設けた第２貫通孔２８の高さに接続部４２で段差を付けて暗渠排水部材１０を連結することにより、溝３２の底面３２ａを水平または略水平に設けることができる。つまり、予め接続部４２で段階的に段差が付くように、水平または略水平な底面３２ａの溝３２内に暗渠排水部材１０を連結して敷設すると、溝３２全体を通して第２貫通孔２８は段階的に高さが低くなるため、第２貫通孔２８に勾配を付けるために敢えて溝３２の底面３２ａを傾ける必要がない。したがって、狭くて深い溝３２の底面３２ａを水平または略水平に設けることができるので、施工性に優れる。
【００４１】
また、透水ブロック１２の敷設後、地震などにより溝３２の底面３２ａの一部が不等に沈下しても、暗渠排水部材１０内に設けた第２貫通孔２８の高さは変動しないため、流下能力が低下することなく、暗渠排水部材１０の排水機能を安定的に維持できる。
【００４２】
暗渠排水部材１０に設けた第１貫通孔２２をブロック１２の底面２４に対して平行に設けることにより、水平または略水平な底面３２ａの溝３２に暗渠排水部材１０を敷設すると、第１貫通孔２２は水平または略水平になる。つまり、第１貫通孔２２の深さがほ場３０に対して一定になるため、敷設位置によらず排水率および給水率は均一になる。
【００４３】
なお、たとえば長さが１００ｍの溝３２内に横幅Ｗが４０００ｍｍの暗渠排水部材１０を敷設する際、図４（Ａ）に示すように、ブロック１２の底面２４から第２貫通孔２８までの高さｈｎが４種類の暗渠排水部材１０を用いると、４種類の暗渠排水部材１０それぞれについて、平均して第２貫通孔２８の高さｈｎが等しい暗渠排水部材１０を６〜７個ずつ用意する必要がある。よって、４種類の暗渠排水部材１０をそれぞれ６〜７個、つまり計２５個の暗渠排水部材１０を溝３４の長手方向全体に連結することになり、第２貫通孔２８の段差は溝３４全体で３箇所になる。しかし、ほ場３０の状況などに合わせて、暗渠排水部材１０の種類やその数を用意すればよい。たとえば、溝３４の長さが短い場合などでは、底面２４から第２貫通孔２８のブロック１２までの高さが異なる暗渠排水部材１０を連結せず、図６に示すようにその高さが全て同じ暗渠排水部材１０を連結してもよい。この場合、暗渠排水部材１０の接続部４２に第２貫通孔２８の段差は設けられない。
【００４４】
暗渠排水部材１０のブロック１２の側面１４および１６に、図７（Ａ）〜図７（Ｃ）に示す落水部１００を設けてもよい。落水部１００はブロック１２の側面１４および１６を切り取った直方体の空間であり、第１貫通孔２２および第２貫通孔２８と連結する。この暗渠部材を、図８に示すようにほ場３０に連結して敷設し、ほ場３０を排水すると、ほ場３０の水は第１貫通孔２２に集められる。そして、第１貫通孔２２の中を通り、落水部１００で流下して、第２貫通孔２８へ移る。このように暗渠排水部材１０の中に第１貫通孔２２と第２貫通孔２８とを連結する落水部１００を設けると、この部分１００で水が落下して水の流れる速度が増すため、ほ場３０の排水を効率的に行うことができる。
【００４５】
さらに、暗渠排水部材１００の側面１４および１６にそれぞれ第１貫通孔２２および第２貫通孔２８の両方の孔と連結する１つの落水部１００を設けているが、図９に示すように２つの落水部１０２および１０４を上下に設けてもよい。この上側の落水部１０２は第１貫通孔２２に連結し、下側の落水部１０４は第２貫通孔２８に連結する。このように暗渠排水部材１０の中に落水部１０２および１０４をそれぞれ設けると、ほ場３０に排水だけでなく給水も行うことができる。
【００４６】
第１貫通孔２２と第２貫通孔２８との間に図１０に示す補助孔４４を設けてもよい。補助孔４４は第１貫通孔２２および第２貫通孔２８に対して垂直または略垂直にブロック１２内に設けられ、これらの孔２２および２８を連結するものである。この補助孔４４を設けることにより、第１貫通孔２２に集められた地下水が補助孔４４を通り、第２貫通孔２８に流れる。地下水に土や砂などが混じっていて、地下水が第１貫通孔２２から第２貫通孔２８へ疎水材の中を通る際に、疎水材の間を詰まらせてしまっても、地下水は補助孔４４を通ることができるため、長期にわたり安定した排水機能を持続することができる。
【００４７】
ブロック１２の側面１４に設けた突起部１８を切欠２０に嵌め込んで、ブロック１２同士を連結するが、これに代えて図１１に示すジョイント部材４６を用いてブロック１２を連結してもよい。この場合、ブロック１２の高さ方向の４つの角にそれぞれ切欠４８を設ける。切欠４８の形状は断面が台形の角柱であり、４つとも同形状である。ジョイント部材４６の形状は断面が台形の角柱であり、隣接するブロック１２の２つの切欠４８を合わせた形状と一致する。つまり、２つのブロック１２を当接させて、２つの切欠４８を１つの大きな切欠４８とし、この切欠４８にジョイント部材４６を嵌め込むと、ブロック１２は接合する。
【００４８】
隣接する暗渠排水部材１０の第２貫通孔２８との高さの差を第２貫通孔２８の直径より小さくしたが、これは、連結する第２貫通孔２８の直径がそれぞれ等しい場合である。連結する第２貫通孔２８の直径が異なる場合、第２貫通孔２８のブロック１２の底面２４からの高さが低くなる方向において、第２貫通孔の管底が低くなるように第２貫通孔を設ければよい。
【００４９】
図１２に示すこの発明の他の一実施例である暗渠排水部材１０は図１に示す暗渠排水部材１０とほぼ同じであるが、第２貫通孔２８の傾きが異なる。図１に示す第２貫通孔２８は水平または略水平であるが、図１２に示す第２貫通孔２８は所定の傾きを持つ。なお、図１２に示す第１貫通孔２２は図１に示す第１貫通孔２２と同様に水平または略水平である。第２貫通孔２８の傾きは任意であるが、図１３に示すように第２貫通孔２８が連続するように暗渠排水部材１０を連結して溝３２内に敷設し、かつ第２貫通孔２８を第１貫通孔２２の下方に設けるため、連結する方向の長さＬ（溝の長さとほぼ等しい）とブロック１２の底面２４から第２貫通孔２８までの高さＦとの傾きより小さくなるようにする必要がある。
【００５０】
これ以外の部分に関しては図１実施例の示す暗渠排水部材１０と同様であるため、説明は省略する。
【００５１】
図１４（Ａ）および図１４（Ｃ）に示すこの発明の他の一実施例である暗渠排水部材１０は図１に示す暗渠排水部材１０とほぼ同じであるが、貫通孔の数が異なる。図１に示す暗渠排水部材１０は第１貫通孔２２および第２貫通孔２８の２つの貫通孔を有するのに対して、図１４（Ａ）および図１４（Ｃ）に示す暗渠排水部材は１つの貫通孔２８を有する。これ以外の部分に関しては図１実施例の示す暗渠排水部材１０と同様であるため、説明は省略する。
【００５２】
また、図１４（Ｂ）に示す給集水部材１００は給水機能および／または集水機能を有し、その構成は図１４（Ａ）および図１４（Ｃ）に示す暗渠排水部材１０と同様である。このため、暗渠排水部材１０と同じ部分に同じ番号を付し、その説明を省略する。
【００５３】
この暗渠排水部材１０をほ場３０に敷設する場合、図１５に示すように、ほ場３０に水平または略水平な底面３２ａの溝３２を開削し、この溝３２の中に暗渠排水部材１０および給集水部材１００を上下に重ねて敷設する。敷設する際、予めブロック１２の底面２４から第１貫通孔２２までの高さが同じ複数の給集水部材１００、およびブロック１２の底面２４から第２貫通孔２８までの高さが異なる複数の暗渠排水部材１０を用意しておく。第２貫通孔２８の高さが高いものから低いものへと段階的に変化するように、溝３２の長手方向に暗渠排水部材１０を連結して敷設し、次に第１貫通孔２２が連続するように、給集水部材１００をそれぞれ暗渠排水部材１０の上に重ねて連結させる。最後に土３４を溝３２に埋め戻す。
【００５４】
このように、溝３２の底面３２ａが水平または略水平であり、下側の暗渠排水部材１０の高さが一定であると、ブロック１２の底面２４から第１貫通孔２２までの高さが一定であるため、どの位置でも溝３２の底面３２ａから第１貫通孔２２までの高さが等しく、第１貫通孔２２は溝３２の長手方向に水平または略水平に貫く。第２貫通孔２８はそれぞれ溝３２（ブロック１２）の底面２４からの高さが異なり、高いものから低いものへと順に連結されるため、接続部４２に段差ができ、第２貫通孔２８の高さは溝３２の長手方向に階段状に低くなる。
【００５５】
なお、ほ場３０の溝３２に暗渠排水部材１０と給集水部材１００とを上下に重ねて敷設したが、１つの暗渠排水部材１０のみをほ場に敷設してもよい。この場合、図１６に示すように、予め暗渠排水部材１０にブロック１２の底面２４から第２貫通孔２８までの高さが異なる複数の暗渠排水部材１０を用意しておく。これらの暗渠排水部材１０を、第２貫通孔２８の高さが高いものから低いものへと段階的に変化するように、溝３２の長手方向にそれぞれ連結させて、最後に土３４を溝３２に埋め戻す。
【００５６】
このように、溝３２（ブロック１２）の底面２４から第２貫通孔２８までの高さが高いものから低いものへと順に暗渠排水部材１０を連結するため、各暗渠排水部材１０の接続部４２に段差ができ、第２貫通孔２８の高さは溝３２の長手方向に階段状に低くなる。このため、溝３２の底面に勾配を付けなくても、第２貫通孔２８を傾斜させることができる。
【００５７】
図１７（Ｂ）に示すこの発明の他の一実施例である暗渠排水部材１０は図２に示す暗渠排水部材１０とほぼ同じであるが、貫通孔の数が異なる。図１２に示す暗渠排水部材１０は水平または略水平な第１貫通孔２２および所定の傾きを持つ第２貫通孔２８の２つの貫通孔を有するのに対して、図１７（Ｂ）に示す暗渠排水部材１０は１つの第２貫通孔２８を有し、第２貫通孔２８はブロックの対面に対して所定の傾きを有する。これ以外の部分に関しては図１２実施例の示す暗渠排水部材１０と同様であるため、説明は省略する。
【００５８】
また、図１７（Ａ）に示す給集水部材１００は図１４（Ｂ）に示す給集水部材１００と同様であるため、説明を省略する。
【００５９】
この暗渠排水部材１０をほ場３０に敷設する場合、図１８に示すように、ほ場３０に水平または略水平な底面３２ａの溝３２を開削し、この溝３２の中に複数の暗渠排水部材１０を第２貫通孔２８の高さが高いものから低いものへと連続的に変化するように、連結して敷設する。その上に複数の給集水部材１００を重ねて連結する。最後に土３４を溝３２に埋め戻す。
【００６０】
このように、溝３２の底面３２ａが水平または略水平であり、下側の暗渠排水部材１０の高さが一定であると、ブロック１２の底面２４から第１貫通孔２２までの高さが一定であるため、どの位置でも溝３２の底面３２ａから第１貫通孔２２までの高さが等しく、第１貫通孔２２は溝３２の長手方向に水平または略水平に貫く。第２貫通孔２８はそれぞれ溝３２（ブロック１２）の底面２４からの高さが異なり、高いものから低いものへと順に連結されるため、第２貫通孔２８は溝３２の長手方向に連続的に傾斜して貫く。
【００６１】
なお、ほ場３０の溝３２に暗渠排水部材１０および給集水部材１００を上下に重ねて敷設したが、１つの暗渠排水部材１０だけを敷設してもよい。この場合、図１９に示すように、予め所定の傾きを持つ第２貫通孔２８を有する暗渠排水部材１０を複数個用意しておく。ブロック１２の底面２４から各第２貫通孔２８までの高さが異なり、第２貫通孔２８の低い方の端の高さｋｓは隣接する第２貫通孔２８の高い方の端の高さｋｈと等しい。第２貫通孔２８の高さが高いものから低いものへと連続的に変化するように、溝３２の長手方向に上下の暗渠排水部材１０をそれぞれ連結させる。最後に土３４を溝３２に埋め戻す。
【００６２】
このように、第２貫通孔２８の溝３２（ブロック１２）の底面２４からの高さが高いものから低いものへと順に暗渠排水部材１０を連結するため、第２貫通孔２８は溝３２の長手方向に連続的に傾斜して貫く。このため、溝３２の底面に勾配を付けなくても、第２貫通孔２８を傾斜させることができる。
【図面の簡単な説明】
【００６３】
【図１】この発明の一実施例の暗渠排水部材を示す斜視図である。
【図２】（Ａ）は図１実施例の暗渠排水部材を示す断面図である。（Ｂ）は図１実施例の暗渠排水部材の突起部を設けた側面を示す平面図である。（Ｃ）は図１実施例の暗渠排水部材の切欠を設けた側面を示す平面図である。
【図３】図１実施例の暗渠排水部材を敷設したほ場を示す図解図である。
【図４】（Ａ）は図１実施例の暗渠排水部材を連結してほ場に敷設した状態を示す断面図である。（Ｂ）は（Ａ）の側面を示す平面図である。
【図５】図１実施例の暗渠排水部材を連結した上面を示す平面図である。
【図６】この発明の他の実施例の暗渠排水部材を連結してほ場に敷設した状態を示す断面図である。
【図７】（Ａ）はこの発明の他の実施例の暗渠排水部材を示す断面図である。（Ｂ）は（Ａ）の側面を示す平面図である。（Ｃ）は（Ａ）の上面を示す平面図である。
【図８】図７実施例の暗渠排水部材を連結した場合において、水の流れを示す断面図である。
【図９】この発明の他の実施例の暗渠排水部材を示す断面図である。
【図１０】この発明の他の実施例の暗渠排水部材を示す断面図である。
【図１１】この発明の他の実施例の暗渠排水部材を示す斜視図である。
【図１２】この発明の他の実施例の暗渠排水部材を示す断面図である。
【図１３】図１２実施例の暗渠排水部材を連結した状態を示す断面図である。
【図１４】（Ａ）はこの発明の他の実施例の暗渠排水部材を示す斜視図である。（Ｂ）は給集水部材を示す断面図である。（Ｃ）は（Ａ）の断面図である。
【図１５】図１４実施例の暗渠排水部材および給集水部材を連結してほ場に敷設した状態を示す断面図である。
【図１６】図１４（Ｃ）の暗渠排水部材を連結してほ場に敷設した状態を示す断面図である。
【図１７】（Ａ）は給集水部材を示す断面図である。（Ｂ）はこの発明の他の実施例の暗渠排水部材を示す断面図である。
【図１８】図１７実施例の暗渠排水部材および給集水部材を連結してほ場に敷設した状態を示す断面図である。
【図１９】図１７（Ｂ）の暗渠排水部材を連結してほ場に敷設した状態を示す断面図である。
【符号の説明】
【００６４】
１０…暗渠排水部材
１２…ブロック
１４、１６…側面
２２…第１貫通孔
２４…底面
２８…第２貫通孔
３０…ほ場
３２…溝
４４…補助孔
１００…給集水部材
【図１】
2005048538.tif 000003
【図２】
2005048538.tif 000004
【図３】
2005048538.tif 000005
【図４】
2005048538.tif 000006
【図５】
2005048538.tif 000007
【図６】
2005048538.tif 000008
【図７】
2005048538.tif 000009
【図８】
2005048538.tif 000010
【図９】
2005048538.tif 000011
【図１０】
2005048538.tif 000012
【図１１】
2005048538.tif 000013
【図１２】
2005048538.tif 000014
【図１３】
2005048538.tif 000015
【図１４】
2005048538.tif 000016
【図１５】
2005048538.tif 000017
【図１６】
2005048538.tif 000018
【図１７】
2005048538.tif 000019
【図１８】
2005048538.tif 000020
【図１９】
2005048538.tif 000021
【手続補正書】
【提出日】平成15年8月11日(2003.8.11)
【手続補正１】
【補正対象書類名】明細書
【補正対象項目名】０００２
【補正方法】変更
【補正の内容】
【０００２】
従来の暗渠排水部材の一例が、特許文献１に開示されている。この特許文献１の透水ブロックでは、プラスチック片で成形したブロック内に通水路が形成されている。このブロックを地中に埋設すると、地中の水がブロックの内部にしみ出してきて、通水路を通り排水される。
【特許文献１】実開平７−１５８２２号公報［Ｅ０２Ｂ  １１／００］